(57)【要約】      （修正有）【課題】先端部に磁石を配設するようにしたガイドピンの構造を簡易化して、その製造コストを低廉にできる吊り戸の下部振止装置を提供する。【解決手段】床面に設置されるケース１に、先端部に磁石２５を配設したガイドピン２を上方に突出可能に収納した床面設置部材３と、ガイドピン２が吸引される磁石９又は磁性体を配設し、磁石９又は磁性体により吸引したガイドピン２が挿入される吊り戸本体４に設置される案内溝部材５とを備えるようにした吊り戸の下部振止装置において、磁石２５を配設するガイドピン２を非磁性体材料からなる成形品で構成するようにした。【選択図】図３−２
2018021440.tif 000002
【特許請求の範囲】
【請求項１】
床面に設置されるケースに、先端部に磁石を配設したガイドピンを上方に突出可能に収納した床面設置部材と、ガイドピンが吸引される磁石又は磁性体を配設し、該磁石又は磁性体により吸引したガイドピンが挿入される吊り戸本体に設置される案内溝部材とを備えるようにした吊り戸の下部振止装置において、磁石を配設するガイドピンを非磁性体材料からなる成形品で構成するようにしたことを特徴とする吊り戸の下部振止装置。
【発明の詳細な説明】
【技術分野】
【０００１】
本発明は、吊り戸の下部振止装置に関し、特に、ガイドピンの保持を確実にして吊り戸を安定的にガイドできるようにした吊り戸のガイド装置に関するものである。
【背景技術】
【０００２】
従来、例えば、特許文献１〜３に開示されるように、天井レールにランナーを介して走行自在に吊り下げられた吊り戸に対し、床面に設置した床面設置部材に磁力によって突出可能に設けられたガイドピンが、吊り戸本体の下面に形成された案内溝に挿入されることにより、吊り戸のガイドを行う吊り戸の下部振止装置が知られている。
【０００３】
このうち、特許文献１に開示された吊り戸の下部振止装置においては、床面に設置されるケースに、先端部に磁石を配設したガイドピンを上方に突出可能に収納した床面設置部材と、ガイドピンが吸引される磁石を配設し、該磁石により吸引したガイドピンが挿入される吊り戸本体に設置される案内溝部材とを備えるようにすることにより、すなわち、ガイドピン及び案内溝部材に配設した磁石同士を吸引させることにより、ガイドピンの吸引力を高めるようにしている。
【０００４】
また、特許文献２〜３に開示された吊り戸の下部振止装置においては、床面に設置されるケースにガイドピンを上方に突出可能に収納した床面設置部材と、前記ガイドピンが挿入される吊り戸本体の案内溝部材とを備え、前記ガイドピンを、ケースに摺動可能に収納された第２ガイドと、該第２ガイドの内部に摺動可能に収納された第１ガイドとにより入れ子状に形成するとともに、案内溝部材の端部で突出させた第１ガイドを、所要幅狭く形成した案内溝の中間部に導入するようにすることにより、すなわち、ガイドピンをテレスコピック構造とすることにより、床面設置部材の高さを低く抑え、床面への設置の制約をなくすことができるようにしている。
【先行技術文献】
【特許文献】
【０００５】
【特許文献１】特開２００５−２２６３６８号公報
【特許文献２】特開２００５−１６３３８４号公報
【特許文献３】特開２００７−３０８９１８号公報
【発明の概要】
【発明が解決しようとする課題】
【０００６】
ところで、ガイドピンの吸引力を高めるために、特許文献１に開示された吊り戸の下部振止装置のように、ガイドピン及び案内溝部材に磁石を配設した場合、案内溝部材に配設した磁石の吊り戸本体の移動方向の端部において、案内溝部材に配設した磁石の磁力線の作用によって、磁石間に斥力が発生し、例えば、吊り戸本体の移動速度が大きい場合等に、ガイドピンが吸引されずに案内溝部材がガイドピンの上を通過してしまうという問題があった。
【０００７】
また、特に、床面設置部材の高さを低く抑えるために、特許文献２〜３に開示された吊り戸の下部振止装置のように、ガイドピンをテレスコピック構造とした場合には、先端部に磁石を配設するようにしたガイドピンの構造が複雑となり、その製造コストが高くなるという問題があった。
【０００８】
本発明は、先端部に磁石を配設するようにしたガイドピンの構造を簡易化して、その製造コストを低廉にできる吊り戸の下部振止装置を提供することを目的とする。
【課題を解決するための手段】
【０００９】
上記目的を達成するため、本発明の吊り戸の下部振止装置は、床面に設置されるケースに、先端部に磁石を配設したガイドピンを上方に突出可能に収納した床面設置部材と、ガイドピンが吸引される磁石又は磁性体を配設し、該磁石又は磁性体により吸引したガイドピンが挿入される吊り戸本体に設置される案内溝部材とを備えるようにした吊り戸の下部振止装置において、磁石を配設するガイドピンを非磁性体材料からなる成形品で構成するようにしたことを特徴とする。
【００１０】
この場合において、前記磁石を配設するガイドピンを内部が中空の成形品で構成し、該中空の成形品の中空の内部に磁石を嵌入するようにすることができる。
【００１１】
また、前記磁石を配設するガイドピンを断面がＴ字状の成形品で構成し、該Ｔ字状の成形品の軸部に磁石を嵌入するようにすることができる。
【００１２】
また、前記案内溝部材に配設するガイドピンが吸引される部材を、磁性体のみから構成することができる。
【発明の効果】
【００１３】
本発明の吊り戸の下部振止装置によれば、磁石を配設するガイドピンを、非磁性体材料からなる成形品で構成、具体的には、内部が中空の成形品で構成し、該中空の成形品の中空の内部に磁石を嵌入するようにしたり、断面がＴ字状の成形品で構成し、該Ｔ字状の成形品の軸部に磁石を嵌入するようにすることにより、先端部に磁石を配設するようにしたガイドピンの構造を簡易化して、その製造コストを低廉にできる。
また、ガイドピンを非磁性体材料で構成することにより、ガイドピンに配設した磁石の磁力が、ガイドピンによって遮られることがないため、ガイドピンを、吊り戸本体に設置される案内溝部材に配設した磁石又は磁性体により確実に吸引させることができ、これにより、例えば、案内溝部材に配設するガイドピンが吸引される部材を、磁性体のみから構成することができる。
【図面の簡単な説明】
【００１４】
【図１】本発明の吊り戸の下部振止装置の一実施例を示し、（ａ）は案内溝部材の正面縦断面図、（ｂ）は同底面図、（ｃ）は端部の案内溝でガイドピンが突出した状態を示す断面図、（ｄ）は案内溝の中間部でガイドピンが突出した状態を示す断面図である。
【図２】案内溝部材を示し、（ａ）は平面図、（ｂ）は正面図、（ｃ）は（ａ）のＡ−Ａ線断面図、（ｄ）は同Ｂ−Ｂ線断面図、（ｅ）は同Ｃ−Ｃ線矢視図である。
【図３−１】本発明の吊り戸の下部振止装置に用いられる磁石の極性を示す説明図で、（ａ）は第１の実施態様、（ｂ）は第２の実施態様である。
【図３−２】第２の実施態様の吊り戸の下部振止装置に用いられる案内溝部材を示す説明図で、（ａ）は案内溝部材の正面縦断面図、（ｂ）は同底面図、（ｃ）は吊り戸本体の中央部の案内溝部材の正面縦断面図、（ｄ）は側面図、（ｅ）及び（ｆ）は案内溝部材にガイドピンが挿入された状態を示す断面図である。
【図４】床面設置部材を示し、（ａ）はガイドピンが突出した状態を示す断面図、（ｂ）はガイドピンが退入した状態を示す断面図、（ｃ）は床面設置部材の他の実施例を示す断面図である。
【図５】床面設置部材のガイドピンの第１ガイドの各種実施例を示す説明図である。
【図６】吊り戸本体と案内溝部材を示し、（ａ）は正面断面図、（ｂ）は底面図である。
【発明を実施するための形態】
【００１５】
図１〜図６に、本発明の吊り戸の下部振止装置の一実施例を示す。
この吊り戸の下部振止装置は、床面に設置されるケース１にガイドピン２を上方に突出可能に収納した床面設置部材３と、前記ガイドピン２が挿入される吊り戸本体４の案内溝部材５とを備えている。
そして、前記ガイドピン２を、ケース１に摺動可能に収納された第２ガイド２２と、該第２ガイド２２の内部に摺動可能に収納された第１ガイド２１とにより入れ子状に形成するとともに、案内溝部材５の端部６ａで磁力により突出させた第１ガイド２１を、所要幅狭く形成した案内溝の中間部６ｃに導入するようにしている。
【００１６】
本実施例の吊り戸の下部振止装置は、かかる構成において、前記案内溝６の端部６ａで開口端縁部から案内溝６内に斜めに突出し、前記第１ガイド２１を案内溝６に案内するとともに、前記第２ガイド２２と当接して第２ガイド２２の案内溝６への第１ガイド２１との共上がりを阻止する傾斜側壁７を設けている。
そして、第１ガイド２１に細首部２３を形成するとともに、該細首部２３に側方から挿入して第１ガイド２１を保持する鍔状のレール部８を案内溝の中間部６ｃに設けている。
【００１７】
第１ガイド２１は、図４に示すように、外周部の対向する２箇所に摺動突起（図示省略）を備え、これらの摺動突起は、第２ガイド２２のスリット溝（図示省略）にそれぞれ嵌入されるとともに、第２ガイド上部で係合して第２ガイド２２を従動的に突出させる。
この第１ガイド２１の上部には、先端部に磁石（図示省略）を配設し、下部が細径となる頭部２４が固定されており、この頭部２４下の細径部により細首部２３が形成されている。
また、第２ガイド２２は、ケース１に直接収納されており、ケース１は、アウターケース１ａを介して床に設置される。
【００１８】
この場合において、磁石を配設するガイドピンである第１ガイド２１を、  オーステナイト系のステンレススチール、黄銅、マグネシウム合金、アルミニウム合金等の金属や、ポリアミド（ＰＡ）、ポリアセタール（ＰＯＭ）、ポリカーボネート（ＰＣ）等のエンジニアリングプラスチック等の合成樹脂（複合材料を含む。）等の非磁性体材料からなる成形品で構成することができる。
具体的には、第１ガイド２１を、図５（ａ）に示すように、内部が中空のプレス又は鋳造による成形品で構成し、中空の成形品の中空の内部に磁石２５を嵌入するようにしたり、図５（ｂ）〜（ｄ）に示すように、断面がＴ字状の成形品（（ｄ）及び（ｅ）は汎用のリベット。）で構成し、Ｔ字状の成形品の軸部に磁石２５を嵌入するようにすることができる。
ここで、Ｔ字状の成形品の軸部に嵌入した磁石２５の下部をアルミニウム等の非磁性体金属や合成樹脂製のパイプ部材２６を軸部に嵌入し、さらに、必要に応じて、ワッシャ２７や、スナップリング、プッシュナット２８等を併用することにより、支持、固定するようにしている。
これにより、先端部に磁石２５を配設するようにしたガイドピンである第１ガイド２１の構造を簡易化して、その製造コストを低廉にできる。
また、第１ガイド２１を非磁性体材料で構成することにより、磁石２５の磁力が、第１ガイド２１によって遮られることがないため、ガイドピンである第１ガイド２１を、吊り戸本体４に設置される案内溝部材５に配設した磁石又は磁性体により確実に吸引させることができる。これにより、例えば、案内溝部材５に配設するガイドピンである第１ガイド２１が吸引される部材を、磁性体のみから構成することもできる。
【００１９】
一方、吊り戸本体４は、図６に示すように、天井レールにランナー（図示省略）を介して走行自在に吊り下げられており、吊り戸本体４の下面には、床面設置部材３の突出したガイドピン２がその案内溝６に挿入される案内溝部材５が配設されている。
案内溝部材５は、案内溝６の端部６ａと移行部６ｂにのみガイドピン２を吸引する磁石９が配設されている。
【００２０】
この案内溝部材５は、図１に示すように、案内溝６の端部６ａで磁力により突出させた第１ガイド２１を、所要幅狭く形成した案内溝の中間部６ｃに導入するようにしている。
この場合、本実施例では、案内溝の中間部６ｃの鍔状のレール部８が、吊り戸本体４の移動により、第１ガイド２１の細首部２３に挿入されるようにしている。
なお、案内溝の移行部６ｂは、案内溝の端部６ａから中間部６ｃにガイドピン２が円滑に移行するための移行する部分であり、案内溝６の溝幅が中間部６ｃに向けて漸次狭くなるように形成されている。
【００２１】
案内溝６の端部６ａには、図１（ｃ）に示すように、その開口端縁部から案内溝６内に斜めに突出し、前記第１ガイド２１を案内溝６に案内するとともに、前記第２ガイド２２と当接して第２ガイド２２の案内溝６への第１ガイド２１との共上がりを阻止する傾斜側壁７が設けられている。
傾斜側壁７は、１対のものが対向するように形成されるとともに、長手方向に連続して同じ形状に形成されており、第２ガイド２２の前部がレール部８にさしかかる位置まで設けられている。
【００２２】
この場合において、案内溝部材５に配設した磁石９は、図３−１（ａ）に示す実施例のように、上下面に異なる極性の磁極をもつ（本実施例においては、上面がＮ極、下面がＳ極。逆にすることも可能。）断面矩形をした棒状の磁石９１と、この棒状の磁石９１の吊り戸本体４の移動方向の端面側に配設した、吊り戸本体４の移動方向の両面に異なる極性の磁極をもつ断面矩形をした小片状の磁石９２とからなり、この小片状の磁石９２を、当該磁石９２の棒状の磁石９１の下面側の極性（Ｓ極）と異なる極性（Ｎ極）の面が棒状の磁石９１側に位置するように配置（本実施例においては、当接させて配置）するようにしている。
これにより、案内溝部材５に配設した磁石９の吊り戸本体４の移動方向の端部における案内溝部材５に配設した磁石９の磁力線の方向を調整することができ、これによって、案内溝部材５に配設した磁石９の磁力線の作用によって案内溝部材５に配設した磁石９とガイドピン２に配設した磁石間に斥力が発生することを防止し、ガイドピン２を確実に吸引して、ガイドピン２が吊り戸本体４に設置した案内溝部材５に挿入されるようにすることができる。
【００２３】
そして、棒状の磁石９１には、フェライト磁石を、小片状の磁石９２には、ネオジウム磁石を好適に用いることができる。
これにより、価格の高いネオジウム磁石の使用量を少なくしながら、所期の作用効果を奏するようにすることができる。
【００２４】
このほか、案内溝部材５に配設する磁石９は、図３−１（ｂ）及び図４に示す実施例のように、長手方向に異なる極性の磁極をもつ（本実施例においては、吊り戸本体４の移動方向の端部側がＳ極、中央側がＮ極。逆にすることも可能。）棒状の磁石９からなり、この棒状の磁石９を、ガイドピン２に配設した磁石が吸着する磁極側が吊り戸本体４の移動方向の端部側に位置するように配置することにより、案内溝部材５に配設した磁石９の磁力線の作用によって案内溝部材５に配設した磁石９とガイドピン２に配設した磁石間に斥力が発生することを防止し、ガイドピン２を確実に吸引して、ガイドピン２が吊り戸本体４に設置した案内溝部材５に挿入されるようにすることができる。
この場合、案内溝部材５に配設する磁石９は、水平に配設するほか、図４に示すように、吊り戸本体４の移動方向の端部側が低くなるように傾斜して配設することもでき、これにより、ガイドピン２をより確実に吸引するようにすることができる。
ここで、案内溝部材５に配設した磁石９に吸引、吸着されたガイドピン２（Ｎ極）は、吊り戸本体４の移動に合わせて、磁石９のＳ極の位置からＮ極の位置に移動し、斥力を受けることになるが、この位置に、鍔状のレール部８を設けるようにすることにより、ガイドピン２が保持されるようにして、レール部８に円滑に移行させることができる。
【００２５】
そして、棒状の磁石９には、フェライト磁石を好適に用いることができる。
これにより、価格の高いネオジウム磁石を使用せずに、所期の作用効果を奏するようにすることができる。
【００２６】
ところで、この実施例において、吊り戸本体４の中央部の案内溝部材に、鍔状のレール部８を設けた案内溝部材を用いるほか、鍔状のレール部８を設けずに、案内溝６の天面に全域に亘って帯状の磁性体６１を支持部材６２を介して配設した案内溝部材５Ａを用いることもできる。
これにより、磁性体６１に、ガイドピン２に配設した磁石２５によって、鍔状のレール部８に保持されたガイドピン２が吸着するようにすることで、ガイドピン２をレール部８から吊り戸本体４の中央部の案内溝部材５Ａの案内溝６に円滑に移行させることができる。
なお、案内溝部材５Ａに、鍔状のレール部８を設けないようにすることによって、ガイドピン２の吸着ミスや脱落があった場合でも、容易に磁性体６１に再吸着させることができ、吊り戸を安定的にガイドすることができる。
【００２７】
次に、本実施例の吊り戸の下部振止装置の作用を説明する。
この吊り戸の下部振止装置は、吊り戸本体４が、床面に設置された床面設置部材３の上方位置に来ると、図１（ｃ）に示すように、案内溝６の端部６ａに配設した磁石９によって、第１ガイド２１の頭部２４が吸引され、第１ガイド２１とこれに従動する第２ガイド２２がケース１内から上方に突出する。
この場合、案内溝６の端部６ａには、前記傾斜側壁７が設けられているため、第１ガイド２１は斜面によって案内溝６の奥まで案内されるが、第２ガイド２２は、その上部が傾斜側壁７に当接するため、床面設置部材３と案内溝部材５の距離が短い場合でも、第２ガイド２２の案内溝６への第１ガイド２１との共上がりが阻止される。
そして、吊り戸本体４が移動することにより、図１（ｄ）に示すように、第２ガイド２２と案内溝の中間部６ｃとの干渉が防止された状態で、第１ガイド２１の細首部２３に案内溝６の鍔状のレール部８が側方から挿入され、ガイドピン２が保持される。
これにより、ガイドピン２を吸引する磁石９が存在しない案内溝の中間部６ｃにおいても、ガイドピン２を確実に保持することができる。
なお、吊り戸本体４が、床面に設置された床面設置部材３の上方位置から去ると、ガイドピン２（第１ガイド２１及び第２ガイド２２）は重力によりケース１内に退入する。
【００２８】
かくして、本実施例の吊り戸の下部振止装置は、案内溝６の端部６ａで開口端縁部から案内溝６内に斜めに突出し、前記第１ガイド２１を案内溝６に案内するとともに、前記第２ガイド２２と当接して第２ガイド２２の案内溝６への第１ガイド２１との共上がりを阻止する傾斜側壁７を設けることから、第２ガイド２２の突出高さを傾斜側壁７で案内溝６の所定位置より下に制限することにより、第２ガイド２２と案内溝の中間部６ｃとの干渉を防止することができ、これにより、案内溝部材５と床面設置部材３との距離が近い場合でも、第１ガイド２１のみを確実に案内溝の中間部６ｃに導入し、吊り戸を安定的にガイドすることができる。
そして、第１ガイド２１に細首部２３を形成するとともに、該細首部２３に側方から挿入して第１ガイド２１を保持する鍔状のレール部８を案内溝の中間部６ｃに設けることにより、案内溝の中間部６ｃで磁力がなくてもガイドピン２の保持を確実にし、吊り戸を安定的にガイドすることができる。
さらに、案内溝部材５に配設した磁石９の吊り戸本体４の移動方向の端部における案内溝部材５に配設した磁石９の磁力線の方向を調整することができ、これによって、案内溝部材５に配設した磁石９の磁力線の作用によって案内溝部材５に配設した磁石９とガイドピン２に配設した磁石間に斥力が発生することを防止し、ガイドピン２を確実に吸引して、ガイドピン２が吊り戸本体４に設置した案内溝部材５に挿入されるようにすることができる。
【００２９】
ここで、上記の吊り戸の下部振止装置の構成は、案内溝部材５に配設した磁石９の磁力を案内溝の中間部６ｃまで作用させることにより、図４（ｃ）に示すような、第１ガイド２１に細首部２３を形成しないガイドピン２を用い、案内溝部材５にレール部８を設けずに、案内溝６の天面に全域に亘って磁性体を配設するようにした吊り戸の下部振止装置にも適用することができ、同様の作用効果を得ることができる。
【００３０】
以上、本発明の吊り戸の下部振止装置について、複数の実施例に基づいて説明したが、本発明は上記実施例に記載した構成に限定されるものではなく、各実施例に記載した構成を適宜組み合わせる等、その趣旨を逸脱しない範囲において適宜その構成を変更することができるものである。
【産業上の利用可能性】
【００３１】
本発明の吊り戸の下部振止装置は、ガイドピンを確実に吸引して、ガイドピンが吊り戸本体に設置した案内溝部材に挿入されるようにしたり、先端部に磁石を配設するようにしたガイドピンの構造を簡易化して、その製造コストを低廉にできるという特性を有していることから、吊り戸の下部振止装置の用途に好適に用いることができる。
【符号の説明】
【００３２】
１  ケース
２  ガイドピン
２１  第１ガイド
２２  第２ガイド
２３  細首部（細径部）
２４  頭部
２５  磁石
３  床面設置部材
４  吊り戸本体
５  案内溝部材
５Ａ  案内溝部材
６  案内溝
６ａ  端部
６ｂ  移行部
６ｃ  中間部
６１  磁性体
７  傾斜側壁
８  レール部
９  磁石
９１  棒状の磁石
９２  小片状の磁石
【図１】
2018021440.tif 000003
【図２】
2018021440.tif 000004
【図３−１】
2018021440.tif 000005
【図３−２】
2018021440.tif 000006
【図４】
2018021440.tif 000007
【図５】
2018021440.tif 000008
【図６】
2018021440.tif 000009